(57)【要約】      （修正有）【課題】キャップの内部に磁石を装着することによって、迅速且つ効果的に刃を収納することができる携帯型ハサミを提供する。【解決手段】ペン型携帯ハサミであって、ハサミ本体と、キャップ２０と、磁石３０を含み、ハサミ本体は２つの刃１１を含み、キャップは、ハサミ本体の２つの刃に着脱可能にかぶせられ、キャップの対向する前後両端はそれぞれ吸着端２１と開口端２２であり、キャップには、吸着端と開口端との間に位置して２つの刃を収容することができる直線溝が形成され、磁石は、キャップの吸着端に設けられ、磁石が、ハサミ本体の２つの刃を吸引して、少なくとも１つの刃の先端を吸着端又は磁石に当接させる。【選択図】図３
0003223221.tif 000002
【実用新案登録請求の範囲】
【請求項１】
ペン型携帯ハサミであって、
ハサミ本体と、キャップと、磁石を含み、
前記ハサミ本体は２つの刃を含み、
前記キャップは、前記ハサミ本体の前記２つの刃に着脱可能にかぶせられ、該キャップの対向する前後両端はそれぞれ吸着端と開口端であり、該キャップには、該吸着端と開口端との間に位置して該２つの刃を収容することができる直線溝が形成されており、
前記磁石は、前記キャップの吸着端に設けられ、該磁石が、前記ハサミ本体の２つの刃を吸引して、少なくとも１つの該刃の先端を該吸着端又は磁石に当接させるために用いられることを特徴とする、ペン型携帯ハサミ。
【請求項２】
前記キャップの外壁面に密着斜面がさらに設けられ、該密着斜面は、前記吸着端に設けられると共に、前記磁石に隣接し、該密着斜面は、該キャップの前記開口端と吸着端との接続線方向に対して非垂直であることを特徴とする、請求項１に記載のペン型携帯ハサミ。
【請求項３】
前記磁石の磁気モーメントの方向が、前記キャップの前記開口端と吸着端との接続線方向に対して平行又は垂直であることを特徴とする、請求項１に記載のペン型携帯ハサミ。
【請求項４】
前記キャップの前記直線溝の内壁面に、前記磁石の周縁を囲むように該磁石に係合する磁石固定部が突出していることを特徴とする、請求項１に記載のペン型携帯ハサミ。
【請求項５】
前記キャップの前記吸着端は、係止部、係止部を覆うように着脱可能に設けられた蓋、及び係止部と蓋とに囲まれるように形成された取り付け溝をさらに備え、前記磁石が該取り付け溝内に設けられることを特徴とする、請求項１に記載のペン型携帯ハサミ。
【請求項６】
前記磁石の両側面にそれぞれ磁気伝導ディスクがさらに設けられることを特徴とする、請求項１に記載のペン型携帯ハサミ。
【請求項７】
前記各刃の刃面と直線溝の内壁面との距離が前記２つの刃の厚さの倍以上であることを特徴とする、請求項１に記載のペン型携帯ハサミ。
【請求項８】
前記キャップ内に磁石止め輪がさらに設けられ、前記磁石が前記吸着端と磁石止め輪との間に位置し、該磁石止め輪内に貫通孔が形成され、前記キャップが前記２つの刃にかぶせられる際に、該２つの刃の先端が該貫通孔を貫通して該磁石と接触することを特徴とする、請求項１に記載のペン型携帯ハサミ。
【請求項９】
前記磁石の形状が、円形、三角形、四角形、五角形、六角形又はハート形であることを特徴とする、請求項１に記載のペン型携帯ハサミ。
【請求項１０】
前記ハサミ本体は、２つのグリップ及び該２つのグリップをロック固定する安全ロック機構を備え、該安全ロック機構は、ラッチ、該ラッチに接続された係合部、及び該係合部と互いに係合され固定される固定部を含み、前記２つの刃の先端が前記磁石の吸引によって前記吸着端又は該磁石に当接することにより、前記キャップが該ラッチに当接して、該係合部が該固定部に係合するようにロックされることを特徴とする、請求項１に記載のペン型携帯ハサミ。
【請求項１１】
前記安全ロック機構は、前記ラッチを前記刃に向かって押すときに必要な推力が、該ラッチが該刃から離れる方向に押す推力よりも大きい非対称付勢構造をさらに含むことを特徴とする、請求項１０に記載のペン型携帯ハサミ。
【請求項１２】
前記非対称付勢構造は、突起を含み、該突起の、前記刃に向いている前側面の傾斜が、該刃から遠い後側面の傾斜より大きいことを特徴とする、請求項１１に記載のペン型携帯ハサミ。
【請求項１３】
前記直線溝の直径又は幅が前記２つの刃の最大幅よりも大きいことを特徴とする、請求項１に記載のペン型携帯ハサミ。
【請求項１４】
前記ハサミ本体に設けられた弾性部材をさらに含むことを特徴とする、請求項１から１３のいずれか１項に記載のペン型携帯ハサミ。
【考案の詳細な説明】
【技術分野】
【０００１】
本考案は、ハサミに関するものであり、特にキャップを有するペン型携帯ハサミに関するものである。
【背景技術】
【０００２】
従来のハサミは体積が非常に大きいため、文房具ではあるが、カッターナイフや定規、ペン等の他の文房具と比べると、収納しにくい。そのため、外形がボールペンに似たタイプのハサミが案出された。このハサミは、キャップを有し、ハサミの２つの刃をたたむと、グリップ部分が同時に円柱状にたたまれ、使用者が前記キャップを利用してハサミの刃を収納した後、ハサミ全体がボールペンのような大きさ及び外形となるので、収納しやすいというメリットがある。
【０００３】
しかしながら、このようなキャップで覆われるハサミには、以下のようないくつかの欠点がある。
【０００４】
第一に、このようなキャップは、係合によって刃と結合されるが、係合による結合は、ペンのキャップと同様、脱落しやすいという欠点がある。そのため、使用者がこのようなタイプのハサミを使用する際には、様々な原因によりキャップをしっかりとはめ込んでいないと、キャップが刃から容易に脱落してしまい、使用者が不注意により手をハサミに近づけると、キャップがかぶさっていない刃によってけがをする恐れがある。
【０００５】
第二に、キャップは、係合によってハサミの把持部に固定されることから、キャップ又は把持部の外形に割れが生じると、キャップを正確且つ緊密にハサミにかぶせることができなくなるので、継続して使用できなくなる。
【０００６】
第三に、従来技術のキャップを有するハサミは、第二点のように落下の衝撃に弱く、不注意でハサミを落としてしまうと、係合によりかぶさっているキャップが刃から容易に脱落し、それぞれが見つかりにくい場所まで転がってしまい、使用者を困らせてしまう。
【０００７】
第四に、係合による固定のもう１つの欠点は、係合がスムーズではなく、使用者が力を入れてキャップと刃を係合点で係合させる必要があるため、片手での操作に適していない。
【０００８】
第五に、係合による装着では、使用者がキャップをはめ込んだ時に、キャップが正確にはまっているか否かがわかりにくく、又はその装着音が聞こえにくいので、キャップが閉まっているか否かが判断しにくい。
【考案の概要】
【考案が解決しようとする課題】
【０００９】
本考案は、前記従来技術の欠点と不足点に鑑み、キャップの内部に磁石を装着することによって、迅速且つ効果的に刃を収納する効果を有する携帯型ハサミを提供することを目的としている。
【課題を解決するための手段】
【００１０】
上記の目的を達成するため、本考案が採用する技術手段は、ペン型携帯ハサミであって、該ペン型携帯ハサミは、ハサミ本体と、キャップと、磁石を含み、前記ハサミ本体は２つの刃を含み、前記キャップは、前記ハサミ本体の前記２つの刃に着脱可能にかぶせられ、該キャップの対向する前後両端はそれぞれ吸着端と開口端であり、該キャップには、該吸着端と開口端との間に位置して該２つの刃を収容することができる直線溝が形成されており、前記磁石は、前記キャップの吸着端に設けられ、該磁石が、前記ハサミ本体の２つの刃を吸引して、少なくとも１つの該刃の先端を該吸着端又は磁石に当接させるために用いられる。
【００１１】
さらに、前記ペン型携帯ハサミにおいて、前記キャップの外壁面に密着斜面がさらに設けられ、該密着斜面は、前記吸着端に設けられると共に、前記磁石に隣接し、該密着斜面は、該キャップの前記開口端と吸着端との接続線方向に対して非垂直である。
【００１２】
さらに、前記ペン型携帯ハサミにおいて、前記磁石の磁気モーメントの方向が、前記キャップの前記開口端と吸着端との接続線方向に対して平行又は垂直である。
【００１３】
さらに、前記ペン型携帯ハサミにおいて、前記キャップの前記直線溝の内壁面に、前記磁石の周縁を囲むように該磁石に係合する磁石固定部が突出している。
【００１４】
さらに、前記ペン型携帯ハサミにおいて、前記キャップの前記吸着端は、係止部、係止部を覆うように着脱可能に設けられた蓋、及び係止部と蓋とに囲まれるように形成された取り付け溝をさらに備え、前記磁石が該取り付け溝内に設けられる。
【００１５】
さらに、前記ペン型携帯ハサミにおいて、前記磁石の両側面にそれぞれ磁気伝導ディスクがさらに設けられている。
【００１６】
さらに、前記ペン型携帯ハサミにおいて、前記各刃の刃面と直線溝の内壁面との距離が前記２つの刃の厚さの倍以上である。
【００１７】
さらに、前記ペン型携帯ハサミにおいて、前記キャップの前記直線溝内に、磁石止め輪がさらに設けられ、前記磁石が前記吸着端と磁石止め輪との間に位置し、該磁石止め輪内に貫通孔が形成され、前記キャップが前記２つの刃にかぶせられる際に、該２つの刃の先端が該貫通孔を貫通して該磁石と接触する。
【００１８】
さらに、前記ペン型携帯ハサミにおいて、前記磁石の形状は、円形、三角形、四角形、五角形、六角形又はハート形である。
【００１９】
さらに、前記ペン型携帯ハサミにおいて、前記ハサミ本体は、２つのグリップ及び該２つのグリップをロック固定する安全ロック機構を備え、該安全ロック機構は、ラッチ、該ラッチに接続された係合部、及び該係合部と互いに係合され固定される固定部を含み、前記２つの刃の先端が前記磁石の吸引によって前記吸着端又は該磁石に当接することにより、前記キャップが該ラッチに当接して、該係合部が該固定部に係合するようにロックされる。
【００２０】
さらに、前記ペン型携帯ハサミにおいて、前記安全ロック機構は、前記ラッチを前記刃に向かって押すときに必要な推力が、該ラッチが該刃から離れる方向に押す推力よりも大きい非対称付勢構造をさらに含む。
【００２１】
さらに、前記ペン型携帯ハサミにおいて、前記非対称付勢構造は、突起を含み、該突起の、前記刃に向いている前側面の傾斜が、該刃から遠い後側面の傾斜より大きい。
【００２２】
さらに、前記ペン型携帯ハサミにおいて、前記直線溝の直径又は幅が前記２つの刃の最大幅よりも大きい。
【００２３】
さらに、前記ペン型携帯ハサミは、前記ハサミ本体に設けられた弾性部材をさらに含む。
【考案の効果】
【００２４】
本考案の優れた点は、キャップ内に磁石を設けることによって、本考案のハサミが、使用において以下の利点を有することである。
【００２５】
第一に、ハサミ本体が、磁石の磁力によってキャップ内に吸着されるため、キャップがかぶさっていないという状況が生じにくく、よって使用者が使用する過程において、キャップがハサミ本体から離れにくいだけでなく、使用者が刃でけがをする可能性を回避し、キャップが脱落して紛失するということも起こりにくい。
【００２６】
第二に、キャップの割れは、キャップがハサミ本体を覆う機能に影響しない。キャップの主な係合方法は磁力であるため、不注意で落下又は衝突してキャップに割れが生じても、磁力によってハサミ本体を緊密に吸着する機能を発揮することができる。
【００２７】
第三に、磁石の磁力は一定の距離で作用するため、本考案のハサミが不注意で落下して、キャップとハサミ本体とが少し離れてしまっても、磁石の磁力によってキャップが吸着されて元の位置に戻るため、ハサミ本体が落下しても、キャップと離れてしまうとの状況は起こりにくい。
【００２８】
第四に、本考案は、磁石によって、例えば冷蔵庫や鉄製の棚のように磁性を有する壁面に吸着させられるうえ、使用者は取りやすく、同時に、磁石で吸着させることによって、使用者が本考案を不注意に動かし、さらにそれを落下させる又は紛失するという可能性を低減することができる。
【００２９】
第五に、磁石で係合する際に、磁石がキャップ内の一端（吸着端）に位置するため、ハサミがそれに吸着されて磁石に衝突する瞬間に、はっきりとした衝撃音が発生し、特に、その衝撃音は、キャップ内の最も奥から発生する。従って、キャップの直線溝が直線の道筋を形成することで、刃を直線上で加速させて大きな衝撃力を発生させ、さらにその衝撃音を生じさせることができ、それによって、使用者がこの音を確認できない場合は、キャップが正確に閉まっていないことがわかり、使用者がキャップをしっかりはめていないという可能性を低減する。
【図面の簡単な説明】
【００３０】
【図１】本考案の実施形態１を示す外観斜視図である。
【図２】図１の別の態様を示す外観斜視図である。
【図３】本考案の実施形態１の一部構成要素の分解模式図である。
【図４】図１の側面視断面図である。
【図５】本考案の実施形態１の磁石の位置を示す端面視断面図である。
【図６】本考案の実施形態１の吸着端を示す端面視断面図である。
【図７】本考案の実施形態２の側面視断面図である。
【図８】本考案の実施形態３のキャップの模式図である。
【図９】本考案の実施形態３の側面視断面図である。
【図１０】本考案の実施形態４のキャップの模式図である。
【図１１】本考案の実施形態４の磁石の位置を示す端面視断面図である。
【図１２】本考案の実施形態５のキャップの一部構成要素の分解図である。
【図１３】本考案の実施形態５の一部の断面拡大図である。
【図１４】本考案の実施形態６の断面図である。
【図１５】図１４の局所拡大図である。
【図１６】本考案の実施形態６の別の態様を示す模式図である。
【図１７】本考案の第１の使用形態を示す図である。
【図１８】本考案の第２の使用形態示す図である。
【図１９】本考案の第３の使用形態示す図である。
【考案を実施するための形態】
【００３１】
以下、図及び本考案の好ましい実施形態と合わせて、本考案が所期の目的を達成するために採用する技術手段について更に述べる。
【００３２】
図１、図２及び図３に示すように、本考案のペン型携帯ハサミは、ハサミ本体１０、キャップ２０及び磁石３０を含み、該キャップ２０は、ハサミ本体１０の外側に選択的にかぶせられ、該磁石３０は、キャップ２０内に設けられ、該キャップ２０がハサミ本体１０にかぶせられると、磁石３０とハサミ本体１０の先端とが互いに接触する。
【００３３】
本実施形態１において、ハサミ本体１０は、２つの刃１１と２つのグリップ１２を含み、該２つの刃１１は互いに枢接され、該２つのグリップ１２はそれぞれ、該２つの刃１１に設けられる。尚、本考案のハサミ本体１０の構造は、従来のペン型ハサミの構造とほぼ同じであるため、その内容についてここでは特に説明せず、本考案に関連する構成要素についてのみ説明するが、ハサミ本体１０の構造は、図及び従来技術のハサミによって限定されるものではない。
【００３４】
また、弾性部材１３はハサミ本体１０に設けられ、該弾性部材１３によって２つの刃１１に弾力が作用することで、該２つの刃１１が開く方向に押されて自動的に展開する。尚、本実施形態においては、該弾性部材１３がバネであり、且つ２つのグリップ１２の間に設けられる。
【００３５】
図３、図４及び図６に示すように、キャップ２０は、ハサミ本体１０の２つの刃１１に分離可能にかぶせられ、より正確に述べると、丸棒状のキャップ２０の対向する前後両端はそれぞれ、吸着端２１と開口端２２であり、且つ丸棒状のキャップ２０に、吸着端２１と開口端２２との間に位置する直線溝２００及び磁石固定部２３が成形されており、そのうち該直線溝２００は、磁石３０の磁気吸引力によって２つの刃１１が直線上に加速して移動するものであるため、本実施形態においては、直線溝２００の内壁面が２つの刃１１の直線上の加速移動に干渉しないように、丸棒形状を呈する直線溝２００の直径Ｌ１（又は幅）が、２つの刃１１の最大幅Ｌ２よりも大きくなっている。なお、２つの刃１１は磁石３０と互いに吸引し合うため、直線溝２００は、キャップ２０が２つの刃１１に対して直線的に加速移動する際の障害物のない通路と見なすこともできる。
【００３６】
図４及び図５に示すように、前記２つの刃１１は、開口端２２を通って直線溝２００内に収容され、直線溝２００における吸着端２１に隣接する内壁面に、磁石３０を固定するために突出している磁石固定部２３を有し、且つ本実施形態においては、該磁石固定部２３が、該直線溝２００の吸着端２１に隣接する端を囲むように、互いに間隔をおいて設けられた複数の突柱２３１を含む。
【００３７】
図３、図４及び図５に示すように、磁石３０は、キャップ２０の直線溝２００内に設けられ、且つ吸着端２１に隣接し、ハサミ本体１０の前記２つの刃１１の先端は、磁石３０の磁気吸引力に吸引されて磁石３０に当接するが、これに限定されず、磁石３０は、キャップ２０の吸着端２１内に埋設されてもよく、すなわち２つの刃１１の先端が磁石３０の吸引によって吸着されて吸着端２１に当接する一方、磁石３０には接触しなくてもよい。
【００３８】
本実施形態１において、磁石３０の形状は円柱状であるが、該磁石３０の形状はこれに限定されず、言い換えれば、磁石３０の形状は三角形、四角形、五角形、六角形又はハート形であってもよい。なお、本実施形態においては、丸棒形状のキャップ２０の外形に合わせるため円形の磁石３０を用いているが、棒状のキャップ２０の外形が三角形、四角形、五角形、六角形又はハート形である場合、磁石３０の外形もそれに応じた形状としてもよい。
【００３９】
より正確に述べると、磁石３０は、前記磁石固定部２３内に収容され、該磁石固定部２３は、該磁石３０の周縁を囲むように該磁石３０に係合され、即ち、磁石固定部２３の前記突柱２３１が磁石３０の周縁に係合され、そのうち、磁石３０の断面は円形であり、且つ磁石３０の磁気モーメントの方向は、キャップ２０の開口端２２と吸着端２１との接続線方向に対して平行である。
【００４０】
なお、図３〜図６に示すように、２つの刃１１が直線溝２００に挿入される際に、吸着端２１に設けられた磁石３０の磁気吸引力によって、刃１１を直線溝２００に沿って直線上で加速移動させて大きな衝撃力を発生させ、且つ直線溝２００の空間によって衝撃音のサラウンド増強効果を生じさせることができ、尚、その際、刃１１の直線加速移動が妨害されることはない。上記目的を達成するためには、刃１１の刃面と直線溝２００の内壁面とは少なくとも距離Ｄ１離間していなければならず、この距離Ｄ１は、少なくとも２つの刃１１の厚さＤ２の倍以上である。この構成によれば、直線溝２００内に十分な空間を設けることにより、衝撃音が直線溝２００内で音響増強効果を生じさせるだけでなく、使用者が開口端２２を介して片手で刃１１を直線溝２００にスムーズに挿入することもできる。
【００４１】
図７に示すように、以下は本考案の実施形態２であり、本実施形態２は実施形態１とほぼ同じであるが、本実施形態２では、キャップ２０Ａに密着斜面２６Ａがさらに設けられ、該密着斜面２６Ａは、キャップ２０Ａの外壁面に設けられ且つ吸着端２１Ａに隣接し、また、該密着斜面２６Ａは、該キャップ２０Ａの開口端２２Ａと吸着端２１Ａとの接続線方向に対して非垂直である。言い換えれば、使用者が密着斜面２６Ａを接触面としてどのような平面に置いても、本考案のキャップ２０Ａの延伸方向は該平面の法線と非平行である。
【００４２】
図８及び図９に示すように、以下は本考案の実施形態３であり、本実施形態３は実施形態１とほぼ同じであるが、本実施形態３では、磁石３０Ｂの断面が円形であり、且つ磁石３０Ｂの磁気モーメントの方向が、キャップ２０Ｂの開口端２２Ｂと吸着端２１Ｂとの接続線方向に対して垂直である。言い換えれば、本実施形態３においては、該磁石３０Ｂが円柱であり、且つ該円柱の軸方向はキャップ２０Ｂの延伸方向に対して垂直であって、磁石３０Ｂの円柱の軸方向の磁気吸引力は径方向の磁気吸引力よりも大きい。
【００４３】
本実施形態３では、磁石３０Ｂの設置方向を調整するので、磁性を有する壁面（例えば冷蔵庫や鉄製の棚）に本考案を吸着させる場合、磁石３０Ｂの大きな磁気吸引力を有する円柱軸方向を壁面に向けることができ、それによって、キャップ２０Ｂが壁面から脱落するのを防止するので、実施形態１とは異なる吸着角度となる。
【００４４】
図１０及び図１１に示すように、以下は本考案の実施形態４であり、本実施形態４は実施形態１とほぼ同じであるが、本実施形態４では、磁石３０Ｃの形状が立方体であり、且つ磁石３０Ｃに少なくとも１つの磁気伝導ディスク３１Ｃがさらに設けられ、該少なくとも１つの磁気伝導ディスク３１Ｃの数は２つであり、且つ該２つの磁気伝導ディスク３１Ｃは、該磁石３０Ｃの、キャップ２０Ｃの、側壁面に隣接する両側面にそれぞれ設けられ、また、本実施形態４では、直線溝内に設けられ且つ直線溝の内壁面に固設される磁石止め輪２４Ｃと、磁石止め輪２４Ｃ内に成形される貫通孔２５Ｃがさらに設けられ、磁石３０Ｃは、吸着端２１Ｃと磁石止め輪２４Ｃとの間に介設される。
【００４５】
本実施形態４では、該２つの磁気伝導ディスク３１Ｃを設けることにより、磁石３０Ｃがハサミ本体１０を吸着する磁気吸引力を効果的に高めることができる一方、ハサミ本体１０の刃１１がキャップ２０Ｃに入れられると、磁石止め輪２４Ｃにガイドされて貫通孔２５Ｃを貫通し、且つ磁石３０Ｃの中央に吸着され、それによってハサミ本体１０を吸着位置に正しくガイドすることができる。
【００４６】
図１２及び図１３に示すように、以下は本考案の実施形態５であり、本実施形態５は実施形態１とほぼ同じであるが、本実施形態５では、吸着端２１Ｄに係止部２７Ｄ、蓋２８Ｄ及び取り付け溝２９Ｄがさらに設けられ、そのうち蓋２８Ｄは、係止部２７Ｄを覆うように着脱可能に設けられ、該取り付け溝２９Ｄは、係止部２７Ｄと蓋２８Ｄとに囲まれるように形成され、且つ磁石３０Ｄは、取り付け溝２９Ｄ内に設けられ、該取り付け溝２９Ｄは、直線溝２００Ｄと連通している。
【００４７】
図１４及び図１５に示すように、以下は本考案の実施形態６を示すものであり、本実施形態６は実施形態１とほぼ同じであるが、本実施形態６では、ハサミ本体１０Ｅの２つのグリップ１２Ｅに安全ロック機構１４Ｅが設けられ、該安全ロック機構１４Ｅは、ラッチ１４１Ｅ、ラッチ１４１Ｅに接続された係合部１４２Ｅ、及び該係合部１４２Ｅと互いに係合固定される固定部１４３Ｅを含み、そのうち、ラッチ１４１Ｅと係合部１４２Ｅは、一方のグリップ１２Ｅにスライドするように設けられ、固定部１４３Ｅは、他方のグリップ１２Ｅに固定される。この構成によれば、この安全ロック機構１４Ｅは、キャップ２０Ｅがハサミ本体１０Ｅにかぶせられていない時、２つのグリップ１２Ｅ同士をロックして固定するロック状態又は２つのグリップ１２Ｅが互いに展開可能なアンロック状態となる（グリップ１２Ｅの外に突出するラッチ１４１Ｅを押すことによって切り替える）。すなわち、この安全ロック機構１４Ｅは、ロック状態とアンロック状態の間で移動して切り替わることができる。言い換えれば、本実施形態６に示すように、２つの刃１１Ｅの先端が磁石３０Ｅの吸引によって吸着端２１Ｅ又は磁石３０Ｅに当接すると、刃１１Ｅをキャップ２０Ｅの直線溝２００Ｅ内に収容して自動的に蓋をするだけでなく、同時に磁気吸引力が作用するキャップ２０Ｅをラッチ１４１Ｅに当接させて、係合部１４２Ｅを固定部１４３Ｅに係合させるようにロックすることにより、安全ロック機構１４Ｅをロック状態にして、使用者を保護するという効果を発揮する。
【００４８】
なお、前記安全ロック機構１４Ｅには、該ラッチ１４１Ｅを逆方向に押す付勢力（即ちアンロック推力）が正方向に押す付勢力（即ちロック推力）よりも大きい非対称付勢構造がさらに設けられている。ここで、逆方向に押すとは、ラッチ１４１Ｅを刃１１Ｅに向かって押すことを指し、正方向に押すとは、ラッチ１４１Ｅを刃１１Ｅから離れる方向に押すことを指す。これにより、操作上の安全性と使用上の利便性を向上させることができる。また、本実施形態において、この非対称付勢構造は、突起１４４Ｅと溝１４５Ｅを含み、且つ該突起１４４Ｅの前側面の傾斜は、後側面の傾斜と異なっており、なお且つキャップ２０がかぶせられた時、突起１４４Ｅの、キャップ２０に向いている前側面の傾斜が、キャップ２０に背向する後側面の傾斜よりも大きくなるように設計されており、換言すると、突起１４４Ｅは、刃１１Ｅに向いている側（前側面）の傾斜が、刃１１Ｅから遠い側（後側面）の傾斜１４４Ｅよりも大きくなっている。これにより、ロックを解除する際に大きな力でラッチ１４１Ｅを押さなければならないようにして安全性を確保し、ロックする際には小さな磁力でラッチ１４１Ｅを押し戻すだけで自動的にロックすることができる。
【００４９】
尚、本実施形態においては、この非対称付勢構造の突起１４４Ｅがラッチ１４１Ｅに連結され、溝１４５Ｅがグリップ１２Ｅに設けられるが、これに限定されず、この非対称付勢構造における突起１４４Ｅと溝１４５Ｅはそれぞれ、固定部１４３Ｅと係合部１４２Ｅに直接設けられてもよく、更に、突起１４４Ｅと溝１４５Ｅの両者が設けられる位置も互いに入れ替えることができると共に、この傾斜の設計を溝１４５Ｅの前後壁面に適用してもよいし、或いはこの傾斜設計を突起１４４Ｅと溝１４５Ｅに同時に適用してもよく、いずれも同様に本考案の目的を達成することができる。
【００５０】
また、上記実施形態においては、この非対称付勢構造が、突起１４４Ｅ及び溝１４５Ｅで構成されるが、これに限定されず、図１６に開示されているような、ラッチを逆方向に押す付勢力が正方向に押す付勢力よりも大きい、別の非対称付勢構造１４６Ｅであってよい。
【００５１】
以下は、本考案の使用形態とその利点である。
【００５２】
本考案は、使用時に、磁石３０と刃１１との間の磁力吸着関係により、キャップ２０がハサミ本体１０の刃１１に選択的にかぶせられるという特徴を有し、上記の異なる実施形態で、磁石３０、密着斜面２６Ａ及び磁石３０Ｂを設けることにより、本考案を様々な角度で吸着させることが可能となる。より詳しく述べると、図１７に示すように、本考案の実施形態１においては、磁石３０の磁気モーメントの方向がキャップ２０の延伸方向と同じであるため、壁面９１に対して垂直に吸着され、また、図１８に示すように、本考案の実施形態２においては、密着斜面２６Ａの外形により、本考案を壁面９１に吸着させる際に、一定の傾斜を維持することができるが、このような設計では、主にテーブル上に吸着され、且つ該傾斜の方向が使用者側の場合に適用され、また、最後に図１９に示すように、本考案の実施形態３においては、磁石３０Ｂの配設方向が実施形態１と異なることにより、側壁面を利用して本考案を壁面９１に吸着させることができる。
【００５３】
磁石３０を利用した吸着によって上記目的を実現する場合、以下のいくつかの利点がある。
【００５４】
第一に、キャップ２０とハサミ本体１０にさらなる係止装置を設けずに、磁力の吸引を利用して選択的にかぶせるという目的を実現できることから、本考案には係合点がないので、キャップ２０を使用する際にスムーズに開閉することができ、且つ片手で容易に操作することができる。
【００５５】
第二に、本考案は、機械的な係合ではなく磁力による係合であるため、キャップ２０に割れが生じても、ハサミ本体１０との係合能力が影響を受けてキャップが閉められないということがない。
【００５６】
第三に、磁石３０の磁力は一定の距離で作用するため、ハサミ本体１０が不注意で落下して、キャップ２０とハサミ本体１０とが少し離れてしまっても、磁石３０の磁力によってキャップ２０が吸着されて元の位置に戻るため、ハサミ本体１０が落下してもキャップ２０と離れてしまうとの状況は起こりにくい。
【００５７】
第四に、磁石３０を設けることによって、また、本考案の各実施形態の異なる構造や設計によって、例えば、冷蔵庫や鉄製の棚等の磁性を有する壁面９１において、異なる吸着方式による付着が可能であり、それによって使用者がこれら設備の近くでハサミを必要とする場合に取りやすくなる。
【００５８】
第五に、磁力による吸着でキャップ２０とハサミ本体１０との係合を行う際に、刃１１が磁力によって吸引されて磁石３０に向かって移動し且つ接触する時は、衝突音によって、使用者に係合プロセスが完了したことを知らせるため、使用者がキャップ２０とハサミ本体１０とを適切に係合していないという状況が起こりにくい。
【００５９】
以上の説明は、本考案の好ましい実施形態に過ぎず、本考案に対して何ら形式上の限定を行うものではない。本考案は好ましい実施形態によって上記のように開示されているが、それは本考案を限定するためのものではなく、すべての当業者が、本考案の技術構想を逸脱しない範囲において、上記に開示する技術内容を用いて変更及び修飾を行った等価の実施形態で、且つ本考案の技術構想の内容を逸脱しないものは、本考案の技術的本質に基づいて上記の実施形態に対して行われたいかなる簡単な修正、等価の変更及び修飾も、依然としてすべて本考案の技術構想の範囲内にある。
【符号の説明】
【００６０】
１０、１０Ｅ  ハサミ本体
１１、１１Ｅ  刃
１２、１２Ｅ  グリップ
１３      弾性部材
１４Ｅ    安全ロック機構
１４１Ｅ  ラッチ
１４２Ｅ  係合部
１４３Ｅ  固定部
１４４Ｅ  突起
１４５Ｅ  溝
２０、２０Ａ、２０Ｂ、２０Ｃ、２０Ｅ  キャップ
２００、２００Ｄ、２００Ｅ  直線溝
２１、２１Ａ、２１Ｂ、２１Ｃ、２１Ｄ、２１Ｅ  吸着端
２２、２２Ａ、２２Ｂ  開口端
２３      磁石固定部
２３１    突柱
２４Ｃ    磁石止め輪
２５Ｃ    貫通孔
２６Ａ    密着斜面
２７Ｄ    係止部
２８Ｄ    蓋
２９Ｄ    取り付け溝
３０、３０Ｂ、３０Ｃ、３０Ｄ  磁石
３１Ｃ    磁気伝導ディスク
９１      壁面
Ｌ１      直径
Ｌ２      最大幅
Ｄ１      距離
Ｄ２      厚さ
【図１】
0003223221.tif 000003
【図２】
0003223221.tif 000004
【図３】
0003223221.tif 000005
【図４】
0003223221.tif 000006
【図５】
0003223221.tif 000007
【図６】
0003223221.tif 000008
【図７】
0003223221.tif 000009
【図８】
0003223221.tif 000010
【図９】
0003223221.tif 000011
【図１０】
0003223221.tif 000012
【図１１】
0003223221.tif 000013
【図１２】
0003223221.tif 000014
【図１３】
0003223221.tif 000015
【図１４】
0003223221.tif 000016
【図１５】
0003223221.tif 000017
【図１６】
0003223221.tif 000018
【図１７】
0003223221.tif 000019
【図１８】
0003223221.tif 000020
【図１９】
0003223221.tif 000021